(57)【要約】【目的】  トラップ本体の底部に立設された排水筒の上端開口に対し、その上端開口を閉塞可能のフロートを載置状に配置し、排水が行われていないときにはそのフロートの自重で上端開口を閉塞し、排水が行われているときにはその排水による浮力で上動して上端開口を開けて排水を行わせる排水トラップで、その構造の単純化を図る。また、椀形の排水トラップで、椀の代替品として簡易に取り付けることのできるフロートを提供する。【構成】  フロート２１を、その外周面２３がトラップ本体１ａの内周面９によってガイドされて上下動するように形成する。フロート２１には、平面視における排水筒４の上端開口５より外側に位置する部位に、フロート２１の上方の空間Ｋ１と排水筒４の外側の空間Ｋ２とが連なる通水路をなす貫通孔２５を形成した。これにより、フロート式によるトラップで、フロート２１を上下動させる際のガイドとして別部材を要しない。【選択図】     図３
2006090040.tif 000002
【特許請求の範囲】
【請求項１】
上部が開口されたトラップ本体の底部に立設された排水筒の上端開口に対し、その上端開口を閉塞可能の大きさを有するフロートを載置状に配置し、排水が行われていないときにはそのフロートの自重で前記上端開口を閉塞し、排水が行われているときにはその排水による浮力で上動して該上端開口を開けて排水を行わせるようにした構造の排水トラップにおいて、
前記フロートを、その外周面がトラップ本体の内周面によってガイドされて上下動するように形成するとともに、該フロートには、平面視における前記上端開口より外側に位置する部位に、該フロートの上方の空間と前記排水筒の外側の空間とが連なる通水路を形成したことを特徴とする排水トラップ。
【請求項２】
請求項１において、前記フロートを、その外周面がトラップ本体の内周面によってガイドされて上下動するように形成することに代えて、前記フロートを、その外周面がトラップ本体内の上部に同心状に設けられた接続用管体の内周面によってガイドされて上下動するように形成することとした排水トラップ。
【請求項３】
上部が開口されたトラップ本体の底部に立設された排水筒の上端開口に対し、その上端開口を閉塞可能の大きさを有するフロートを載置状に配置し、排水が行われていないときにはそのフロートの自重で前記上端開口を閉塞し、排水が行われているときにはその排水による浮力で上動して該上端開口を開けて排水を行わせるようにした構造の排水トラップにおいて、
前記フロートには、その下部に、前記排水筒内に内挿されて該フロートが上下動する際のガイドをなすガイド部を一体的に形成したことを特徴とする排水トラップ。
【請求項４】
上部が開口されたトラップ本体の底部に立設された排水筒の上端開口を閉塞可能の大きさを有し、その上端開口に載置状に配置され、排水が行われていないときには自重で該上端開口を閉塞し、排水が行われているときにはその排水による浮力で上動して該上端開口を開けて排水を行わせるように形成された排水トラップ用フロートにおいて、
フロート自身の外周面がトラップ本体の内周面又はそのトラップ本体内の上部に同心状に設けられる接続用管体の内周面によってガイドされて上下動するように形成されているとともに、フロート自身には、平面視において、前記上端開口に載置された際に、その上端開口より外側に位置する部位に、フロート自身の上方の空間と前記排水筒の外側の空間とが連なる通水路が形成されていることを特徴とする排水トラップ用フロート。
【請求項５】
請求項４において、フロート自身の外周面がトラップ本体の内周面によってガイドされて上下動するように形成されていることに代えて、フロート自身の外周面がトラップ本体内の上部に同心状に設けられた接続用管体の内周面によってガイドされて上下動するように形成されていることとした排水トラップ用フロート。
【請求項６】
上部が開口されたトラップ本体の底部に立設された排水筒の上端開口を閉塞可能の大きさを有し、その上端開口に載置状に配置され、排水が行われていないときには自重で該上端開口を閉塞し、排水が行われているときにはその排水による浮力で上動して該上端開口を開けて排水を行わせるように形成された排水トラップ用フロートにおいて、
フロート自身の下部に、前記排水筒内に内挿されて該フロートが上下動する際のガイドをなすガイド部が一体的に形成されていることを特徴とする排水トラップ用フロート。
【発明の詳細な説明】
【技術分野】
【０００１】
本発明は、浴室等の排水口に設けられる排水トラップに関する。
【背景技術】
【０００２】
住宅の浴室の洗い場の排水口、或いは、洗面所の排水口には、下水管からの臭気（下水ガス）や小虫等が室内へ進入するのを防止するため、水封式の排水トラップが設けられているのが普通である。このような水封式トラップは、多くは、管トラップと、可動部のある椀（キャップ）形トラップとに大別されるが、いずれもその基本構造は排水口（排水目皿等の排水の入り口）の下に、排水された水が必ず通過し、その一部が溜まるようにされた封水部を備えており、その残留している排水の一部である封水によって室内の空気と下水ガスとを遮断する構造とされている。
【０００３】
このうち、椀形トラップ（以下、単にトラップともいう）は、上方が開口する有底筒状（容器状）のトラップ本体の通常、底部中央に筒状をなす排水筒を立設し、その排水筒の周囲に水を溜めるとともに、その排水筒に、キャップ状をなす椀（キャップ）を通水（通水路）が確保されるようにして被せ、その水と椀とによって室内側空間と排水管内の下流側空間とを遮断する構成とされている。このような排水トラップでは、水が流されない状態が長期間続くと、封水として溜められていた水が蒸発して減少し、ついには枯渇し、トラップの機能が失われるという不可避的な欠点がある。これに対して、排水筒の上端開口に対し、その上端開口を閉塞可能の大きさを有するフロートを載置状に配置し、排水が行われていないときにはそのフロートの自重で、その上端開口を閉塞し、排水が行われているときにはその排水による浮力で上動してその上端開口を開けて排水を行わせるようにしたフロート式の排水トラップがある。
【０００４】
一例としては、トラップ本体（以下、単に本体ともいう）内の底部に設けられた排水筒（流出筒）の中心部にガイド杆を垂直に支持し、このガイド杆に、トラップ本体の排水筒より大径でかつ外周部下面に所要の高さの環状体を連接してなるフロートを昇降自在に取り付けてなるものがある（特許文献１）。このものの目的は、本来、排水時に、本体内で水位が上がるのに対応してフロートをガイド杆に沿って上昇させることで、排水が流れる際のその流路を単純にして排水の円滑化を図り、排水性能を高めるようにしたものであるが、それと併せて、トラップ内の水が枯渇しても、自重によりフロートの下面が排水筒の上端に密着する構成となっているため、臭気の侵入が防止されるようになっている。このため、排水が行われていないときにはそのフロートの自重で、排水筒の上端開口を閉塞し、排水が行われているときにはその排水による浮力で上動してその上端開口を開けて排水を行わせるようにしたフロート式の排水トラップとしても利用できる。
【特許文献１】特開２０００−２１３０３３号公報
【発明の開示】
【発明が解決しようとする課題】
【０００５】
ところが、特許文献１に記載のものでは、その構造上、フロートとは別に、フロートを昇降（上下動）させるための、ガイド杆やそのガイド杆を支持（固定）するための別部材（部品）や専用の構造を必要とする。このため、トラップを構成する部品点数が増加すると共に、構造が複雑化するため、その作動に不具合が発生しがちとなり、安定した排水が行えないという問題がある。
【０００６】
また、従来の椀形排水トラップにおいては、その椀が破損したり、その取外し後の紛失等により、そして使用者によるトラップ機能の不知等によって、椀が被されていない状態のままで、日常的に使用されていることも少なくない。例えば、戸建て住宅では新築時から設けられていたトラップに合う適正サイズの椀は、一般店頭には流通していない場合が多く、入手しにくい。とりわけ、築年数の古い戸建住宅においてはこうした傾向が強い。また、戸建て住宅において、その浴室の洗い場がタイル張り仕上げであり、そのような床部位の排水口に設けられている排水トラップでは、それ自体の取替えがタイル工事を要するなどから簡易にできないため、椀が被されていない状態のままで、使用されていることが少なくない。
【０００７】
本発明は、こうした点に鑑みてなされたもので、構造が簡単なフロート式の排水トラップを提供すると共に、既設の特に戸建て住宅の、例えば浴室の洗い場に設けられている椀形の排水トラップにおいて、その椀の代替品として取り付けることで、簡易にフロート式排水トラップを実現できる、その排水トラップ用フロートを提供することをその目的とする。
【課題を解決するための手段】
【０００８】
請求項１に記載の本発明は、上部が開口されたトラップ本体の底部に立設された排水筒の上端開口に対し、その上端開口を閉塞可能の大きさを有するフロートを載置状に配置し、排水が行われていないときにはそのフロートの自重で前記上端開口を閉塞し、排水が行われているときにはその排水による浮力で上動して該上端開口を開けて排水を行わせるようにした構造の排水トラップにおいて、
前記フロートを、その外周面がトラップ本体の内周面によってガイドされて上下動するように形成するとともに、該フロートには、平面視における前記上端開口より外側に位置する部位に、該フロートの上方の空間と前記排水筒の外側の空間とが連なる通水路を形成したことを特徴とする。
【０００９】
請求項２に記載の本発明は、請求項１において、前記フロートを、その外周面がトラップ本体の内周面によってガイドされて上下動するように形成することに代えて、前記フロートを、その外周面がトラップ本体内の上部に同心状に設けられた接続用管体の内周面によってガイドされて上下動するように形成することとした排水トラップである。
【００１０】
請求項３に記載の本発明は、上部が開口されたトラップ本体の底部に立設された排水筒の上端開口に対し、その上端開口を閉塞可能の大きさを有するフロートを載置状に配置し、排水が行われていないときにはそのフロートの自重で前記上端開口を閉塞し、排水が行われているときにはその排水による浮力で上動して該上端開口を開けて排水を行わせるようにした構造の排水トラップにおいて、
前記フロートには、その下部に、前記排水筒内に内挿されて該フロートが上下動する際のガイドをなすガイド部を一体的に形成したことを特徴とする。
【００１１】
請求項４に記載の本発明は、上部が開口されたトラップ本体の底部に立設された排水筒の上端開口を閉塞可能の大きさを有し、その上端開口に載置状に配置され、排水が行われていないときには自重で該上端開口を閉塞し、排水が行われているときにはその排水による浮力で上動して該上端開口を開けて排水を行わせるように形成された排水トラップ用フロートにおいて、
フロート自身の外周面がトラップ本体の内周面又はそのトラップ本体内の上部に同心状に設けられる接続用管体の内周面によってガイドされて上下動するように形成されているとともに、フロート自身には、平面視において、前記上端開口に載置された際に、その上端開口より外側に位置する部位に、フロート自身の上方の空間と前記排水筒の外側の空間とが連なる通水路が形成されていることを特徴とする。
【００１２】
請求項５に記載の本発明は、請求項４において、フロート自身の外周面がトラップ本体の内周面によってガイドされて上下動するように形成されていることに代えて、フロート自身の外周面がトラップ本体内の上部に同心状に設けられた接続用管体の内周面によってガイドされて上下動するように形成されていることとした排水トラップ用フロートである。
【００１３】
請求項６に記載の本発明は、上部が開口されたトラップ本体の底部に立設された排水筒の上端開口を閉塞可能の大きさを有し、その上端開口に載置状に配置され、排水が行われていないときには自重で該上端開口を閉塞し、排水が行われているときにはその排水による浮力で上動して該上端開口を開けて排水を行わせるように形成された排水トラップ用フロートにおいて、
フロート自身の下部に、前記排水筒内に内挿されて該フロートが上下動する際のガイドをなすガイド部が一体的に形成されていることを特徴とする。
【発明の効果】
【００１４】
本発明にかかる排水トラップは、フロート式によるものであるが、フロートを上下動させる際のガイドとして別部材（部品）を要しないため、トラップを構成する部品点数が増加することも、その構造が複雑化することもない。このため、その作動に不具合が発生する危険性も少ないことから、安定した排水を行うことができるという効果がある。
【００１５】
本発明にかかる排水トラップ用フロートによれば、これを既設の排水トラップにおいて、破損している椀の代わりに簡易に用いることができるため、極めて便利である。すなわち、本発明に係る排水トラップ用フロートは、ガイド用の別部品を要することもなく、これを既設のトラップ本体の排水筒の上に載置状に配置するだけで、その装着ができるため、椀がない状態で使用されている場合においては、簡易にフロート式排水トラップを得ることができる。
【発明を実施するための最良の形態】
【００１６】
本発明にかかる請求項１に記載の排水トラップの実施の形態について、図１〜図３に基づいて説明する。図１中、Ｆは、本例の排水トラップ（床排水トラップ）１が施工されている例えば浴室の洗い場の床である。本形態の排水トラップ１は、その本体１ａが、上方を開口する有底円筒状の容器形状からなるとともに、その底部３の中央には円筒状の排水筒４を同心にして立設状に備えている。この排水筒４は、本来、その上端開口５に、図示しない椀（キャップ）を支持用リブを介して、通水部を確保して被せることで封水を確保するところでもある。そして、本体１ａにおける下端部のうち、排水筒４に対応する部位には、排水管の接続口７を備えており、この接続口７内に下向きに延びる排水管８が接続されている。一方、本体１ａの上端部には外向きに突出するツバが段付状に形成されており、その内側には所定の幅の目皿受け部１１が周設され、ここに排水目皿１３が載置状にセットされ、支持されている。このような本体１ａそのものについては、従来の椀形トラップの本体と異なる点はない。
【００１７】
一方、このような本体１ａの底部３の中央に立設された排水筒４の上端５ａに対しては、その上端開口５を閉塞可能の大きさを有する排水トラップ用フロート（以下、単にフロートともいう）２１が載置状に配置されている。このフロート２１は、例えば樹脂製で中空に形成され、排水が行われていないときにはそのフロート２１の自重で上端開口５を閉塞し、排水が行われているときにはその排水による浮力で上動（上昇）して上端開口５を開けて排水を行わせるように構成されている。ただし、本形態では、そのフロート２１は、その外径が本体１ａの内径より若干小さい平面視円形の短円柱形状を呈しており、その外周面２３がトラップ本体（以下、本体ともいう）１ａの内周面９によってガイドされて上下動するように、径方向に若干の空隙を保持するように形成されている。この空隙は、フロート２１が内周面９によってガイドされて円滑に上下動するように、適宜の大きさに設定すればよい。
【００１８】
また、このフロート２１には、平面視（図２参照）における排水筒４の上端開口５より外側に位置する部位において、通水路として上下に貫通する貫通孔２５が周方向に沿って適数（図２では１２箇所）開けられており、フロート２１の上方の空間Ｋ１と排水筒４の外側の空間Ｋ２とが連なるように形成されている。なお、フロート２１は、その下面２６が平面とされ、上面２７は球面状に形成されている。また、このフロート２１が、本体１ａ内において排水筒４の上端５ａに載置された状態では、そのフロート２１の上面２７と目皿１３の下面との間には、適度の空間（高さ）が確保されるように設定されている。すなわち、排水が行われてフロート２１が浮力で上動した際でも、そのフロート２１が浮き上がり過ぎて目皿１３を押し上げないように、その高さ寸法が設定されている。なお、このような押し上げの防止のため、排水目皿１３をその外周においてネジ止めなどによってトラップ本体１ａ側に固定しておいてもよい。
【００１９】
しかして、排水が床Ｆ上から排水目皿１３を経て、本形態の排水トラップ１内に流れ込むと、この排水はフロート２１の上部空間Ｋ１から、主としてフロート２１の貫通孔２５を通って排水筒４の外側の空間Ｋ２に至る。ただし、この空間Ｋ２には前の排水時に受け入れられている排水が残留している。このため、図３に示したように、床Ｆ上から連続して流れ込む排水によってフロート２１は浮かされ（上動され）、その排水は、排水筒４の上端５ａでオーバーフローする形で排水筒４の上端開口５から排水筒４内に流れ、排水管８を通って外部に排出される。図３中の破線矢印は、排水の流れを示している。そして、このフロート２１の浮かされ時においては、フロート２１はその外周面２３が本体１ａの内周面９にガイドされている。また、排水終了時には、フロート２１はその自重で同様にガイドされて、排水筒４の上端５ａに載置状となり、その上端開口５を閉塞する。すなわち、フロート２１は、格別の部材や構成を要することなく、その上下動において、平面的な位置或いは姿勢を大きく変えることなく、安定して動くことになる。
【００２０】
このように、本形態の排水トラップ１においては、フロート式によるトラップであるが、フロート２１を上下動させる際のガイドとして別部材（部品）を要しないため、トラップ１を構成する部品点数が増加することも、その構造が複雑化することもない。したがって、その作動に不具合が発生する危険性も少ないことから、安定した排水が行われるという効果がある。
【００２１】
また、上記形態のフロート２１においては、その上方の空間Ｋと排水筒４の外側の空間Ｋ２とが連なる通水路として、独立した貫通孔２５を複数設けた場合を例示したが、この通水路は、図４に示したように、フロート２１の外周面２３に、切り込んだ形の凹部２９を複数、上下に延びる形で設けてもよい。さらに、フロート２１は、図４中に、２点鎖線で示したように、平面視、四角形などの多角形としてもよい。この場合には、平面視、その多角形の外周面における各コーナー３０がトラップ本体１ａの内周面によってガイドされて上下動するように形成されており、平面視、フロート２１の各コーナー３０間の辺部の外側部位に、フロート２１の上方の空間と排水筒５の外側の空間とが連なる通水路が形成されたものとなっている。このように、フロート２１の平面形状は、適宜のものとすることができる。また、トラップ本体１ａの内周面の形状についても同様である。すなわち、本発明では、フロート２１を、その外周面２３がトラップ本体１ａの内周面９によってガイドされて上下動するように形成するとともに、フロート２１には、平面視における上端開口５より外側に位置する部位に、フロート２１の上方の空間Ｋ１と排水筒４の外側の空間Ｋ２とが連なる通水路を形成したものであればよく、本体１ａ及びフロート２１の形状に制限されるものではない。
【００２２】
次に、請求項２に記載の排水トラップについて説明する。上記した排水トラップ１は、その本体１ａの上部開口に直接に排水目皿１３がセットされているタイプのものにおいて具体化したが、排水トラップには、図５に示したように、排水目皿１３がリング状の目皿受け枠３１に支持され、この目皿受け枠３１と本体１ａとが、トラップ本体１ａ内の上部に同心状に設けられた接続用管体（パイプ）３５によって、目皿受け枠３１の高さを調節可能に接続される構成のトラップ１が有る。なお、図５に示したトラップ１は、このような構成を除けば、図１のものと同じ構成のため、同一の部位には同一の符号を付してその説明を省略する。すなわち、このものは、接続用管体３５の外周面にネジを形成しておく一方で、目皿受け枠３１の下部内周と、本体１ａの上部内周に、そのネジに対応するネジを形成しておき、そのネジによるねじ込みによって目皿受け枠３１の施工高さを調節するようにしたものである。このような構造の排水トラップ１において、接続用管体３５がフロート２１の外周に位置するものでは、フロート２１を、その外周面２３がトラップ本体１ａの内周面９によってガイドされて上下動するように形成することに代えて、フロート２１の外周面２３がトラップ本体１ａ内の上部に同心状に設けられた接続用管体３５の内周３９によってガイドされて上下動するように形成すればよい。なお、本発明は、図５に示したトラップにおいて、接続用管体（パイプ）３５が、その上部に目皿受け枠３１を一体的に備えたものとしても同様に具体化できる。
【００２３】
また、上記したことから明らかなように、上記したフロート２１は、既設の排水トラップにおいて、破損している椀の代わりにこれを用いることができるため、極めて便利である。すなわち、このフロート２１は、ガイド用の別部品を要することもなく、これを既設のトラップ本体の排水筒の上に単に載置状に配置するだけで、その装着ができるため、古い戸建住宅で散見される椀がない状態で使用されている使用形態の対策として、極めて効果的である。なお、このようなトラップとして使用されるフロート２１についても、その平面形状は適宜のものとすることができる。
【００２４】
さて次に本発明の請求項３に記載のトラップの実施の形態について、図６〜図８基づいて説明する。ただし、このものは、図１に示した形態のものと、フロート２１のみが相違するだけであるため、同一の部位には同一の符号を付すに止め、その相違点を中心として説明する。すなわち、本形態では、フロート２１は、その外径が上記した形態のものに比べて小さくされている。すなわち、その外径は、それが載置されている排水筒４の上端５ａの外径より若干大き目とされているだけで、フロート２１の外周面２３と本体１ａの内周面９との間には十分な排水の通水路（流路断面積）が確保されている。一方、フロート２１の下部中央には、排水筒４内に内挿されてフロート２１が上下動する際のガイドをなすガイド部２８が一体的に形成されている。このガイド部２８は、その横断面を例えば図７に示したように十字形とされ、排水筒４内における通水路が確保されている。このガイド部２８は、排水筒４内における通水路が確保される限り適宜の形状、構造のものとして具体化できる。
【００２５】
このような本形態でも、図８に示したように、床Ｆ上から連続して流れ込む排水によってフロート２１は浮かされ（上動され）、排水筒４の上端５ａでオーバーフローする形で排水筒４の上端開口５から排水筒４内に流れ排水管８を通って外部に排出される。図８中の破線矢印は、排水の流れを示す。そして、このフロート２１の浮かされ時においては、フロート２１はその下部のガイド部２８が排水筒４の内周面９に案内される。また、排水終了時には、フロート２１はその自重で同様に案内されて、排水筒４の上端５ａに載置状となり、上端開口５を閉塞する。
【００２６】
このように、本形態の排水トラップ１においても、フロート式による開閉式のものであるが、トラップ１を構成する部品点数が増加することも、その構造が複雑化することもない。また、このようなフロート２１も、既設の排水トラップにおいて、破損している椀の代わりにこれを用いることができるため、極めて便利である。しかも、トラップ本体１ａにおける排水筒４の内径は、排水管８の内径と略同じとされるのが普通であるため、ガイド部２８の外径寸法は、この寸法より少し小さめに設定することで、多くのトラップに共用できる。
【００２７】
なお、図９に示したように、図１に示した形態のトラップ１において、フロート２１の下部中央に、排水筒４内に内挿されて、フロート２１が上下動する際のガイドをなすガイド部２８を一体的に形成したものとしてもよい。このようにしておけば、フロート２１は、より安定した上下動をすることができる。また、図４に示したフロート２１においても同様に具体化できる。
【００２８】
本発明の排水トラップ及びフロートは、上記した各形態のものに限定されるものではなく、その要旨を逸脱しない範囲において、種々、設計変更して具体化できる。例えば、フロートは中空でなく、発泡スチロール製としてもよいし、その材質も適宜のものとして具体化できる。また、トラップは床排水トラップに限定されるものではない。
【図面の簡単な説明】
【００２９】
【図１】本発明の請求項１に係る排水トラップの実施の形態の一部破断縦断面図。
【図２】図１におけるＡ−Ａ線断面図。
【図３】図１の排水トラップにおいて排水が行われているときの一部破断縦断面図。
【図４】フロートの別例を示す図１におけるＡ−Ａ線断面図。
【図５】本発明の請求項２に係る排水トラップの実施の形態の縦断面図。
【図６】本発明の請求項３に係る排水トラップの実施の形態の縦断面図。
【図７】図６におけるＢ−Ｂ線断面図。
【図８】図６の排水トラップにおいて排水が行われているときの縦断面図。
【図９】本発明の請求項３に係る排水トラップの別の実施の形態の縦断面図。
【符号の説明】
【００３０】
１  排水トラップ
１ａ  トラップ本体
３  底部
４  排水筒
５  排水筒ｋ上端開口
９  トラップ本体の内周面
２１  フロート
２３  フロートの外周面
２５  通水路
２８  ガイド部
３５  接続用管体
３９  接続用管体の内周面
Ｋ１  フロートの上方の空間
Ｋ２  排水筒の外側の空間
【図１】
2006090040.tif 000003
【図２】
2006090040.tif 000004
【図３】
2006090040.tif 000005
【図４】
2006090040.tif 000006
【図５】
2006090040.tif 000007
【図６】
2006090040.tif 000008
【図７】
2006090040.tif 000009
【図８】
2006090040.tif 000010
【図９】
2006090040.tif 000011